(57)【要約】【課題】省エネルギー化が図れるとともに、利用者の種々のニーズに対応できる空気調和システムを提供する。【解決手段】空気調和システム１１は、室内機１３の運転開始および運転停止を制御する室内制御部１９と、消灯情報および点灯情報を室内制御部１９に伝達可能な配線２１と、前記消灯情報と運転停止の要否判断との連動設定および前記点灯情報と運転開始の要否判断との連動設定が可能な連動設定部２５と、を備えている。室内制御部１９は、連動設定部２５において前記消灯情報との連動設定がされている場合に、前記消灯情報に基づいて室内機１３の運転停止の要否を判断し、前記点灯情報との連動設定がされている場合に、前記点灯情報に基づいて前記室内機１３の運転開始の要否を判断する。【選択図】図１
2010243112.tif 000002
【特許請求の範囲】
【請求項１】
室内機（１３）の運転開始および運転停止を制御する制御部（１９）と、
前記室内機（１３）が設置された室内の照明（１７）が消灯されたことを示す消灯情報および前記照明（１７）が点灯されたことを示す点灯情報の少なくとも一方を前記制御部（１９）に伝達可能な伝達部（２１）と、
前記消灯情報と前記室内機（１３）の運転停止の要否判断とを連動させるか否かの連動設定および前記点灯情報と前記室内機（１３）の運転開始の要否判断とを連動させるか否かの連動設定の少なくとも一方が可能な設定部（２５）と、を備え、
前記制御部（１９）は、前記設定部（２５）において前記消灯情報と前記室内機（１３）の運転停止の要否判断とを連動させるように設定されている場合に、前記消灯情報に基づいて前記室内機（１３）の運転停止の要否を判断し、前記設定部（２５）において前記点灯情報と前記室内機（１３）の運転開始の要否判断とを連動させるように設定されている場合に、前記点灯情報に基づいて前記室内機（１３）の運転開始の要否を判断することを特徴とする空気調和システム。
【請求項２】
前記伝達部（２１）は前記照明を消灯するスイッチ（２７）と電気的に接続された配線であり、この配線（２１）を通じて前記消灯情報および前記点灯情報の少なくとも一方が前記制御部（１９）に伝達される、請求項１に記載の空気調和システム。
【請求項３】
前記室内が複数のエリア（５１，５２，５３，５４）に分けられ、各エリアには前記室内機（１３）と前記照明（１７）とがそれぞれ設置されており、
前記伝達部（２１）は、各エリアにおける前記照明（１７）の前記消灯情報および前記点灯情報の少なくとも一方を前記制御部（１９）にそれぞれ伝達可能であり、
前記制御部（１９）は、各エリアの前記消灯情報に基づいてエリア毎に前記室内機（１３）の運転停止の要否判断および各エリアの前記点灯情報に基づいてエリア毎に前記室内機（１３）の運転開始の要否判断の少なくとも一方を実行する、請求項１に記載の空気調和システム。
【請求項４】
前記伝達部（２１）は、各エリアに設置された前記照明（１７）を消灯するためにエリア毎に設けられたスイッチ（２７）と電気的にそれぞれ接続された配線（２１）であり、これらの配線（２１）を通じて各エリアにおける前記照明（１７）の前記消灯情報および前記点灯情報の少なくとも一方が前記制御部（１９）にそれぞれ伝達される、請求項３に記載の空気調和システム。
【請求項５】
前記室内機（１３）の運転開始および運転停止を手動で命令する手動命令部（２９）をさらに備え、
前記制御部（１９）は、前記手動命令部（２９）による運転停止命令を、前記消灯情報に基づく前記室内機（１３）の運転停止の要否判断よりも優先するように制御する、請求項１〜４のいずれかに記載の空気調和システム。
【請求項６】
前記設定部（２５）は、前記室内の照明（１７）が点灯されていることを示す点灯状態情報と前記室内機（１３）の運転開始の要否判断とを連動させるか否かを設定可能であり、
前記制御部（１９）は、前記設定部（２５）において前記点灯状態情報と前記室内機（１３）の運転開始の要否判断とを連動させるように設定されており、前記手動命令部（２９）によりいずれかの前記エリアの室内機（１３）に対して運転開始命令が出され、かつ、このエリアの前記照明（１７）が点灯しているときに前記室内機（１３）の運転を開始するように制御する、請求項５に記載の空気調和システム。
【請求項７】
前記照明（１７）が消灯されていることを示す消灯状態情報をエリア毎に表示可能な表示部（４１）と、前記消灯状態情報を前記表示部（４１）に表示させる表示制御部（１９）と、をさらに備えている、請求項６に記載に記載の空気調和システム。
【請求項８】
所定時間を設定可能な時間設定部（２３）をさらに備え、
前記制御部（１９）は、前記伝達部（２１）により前記消灯情報が伝達されてから前記所定時間が経過するまで前記室内機（１３）の運転を継続するように制御する、請求項１〜７のいずれかに記載の空気調和システム。
【請求項９】
所定の時間帯を設定可能な時間設定部（２３）をさらに備え、
前記制御部（１９）は、予め設定された前記時間帯において、前記伝達部（２１）を通じて伝わる前記消灯情報にかかわらず前記室内機（１３）の運転を継続するように制御する、請求項１〜７のいずれかに記載の空気調和システム。
【発明の詳細な説明】
【技術分野】
【０００１】
本発明は、空気調和システムに関するものである。
【背景技術】
【０００２】
従来から、エネルギーの節約を目的として、利用者の在室状況に応じて空気調和装置の運転を制御する技術が提案されている。例えば、特許文献１には、室内への入口にセンサー（入退出検出装置）を設置し、このセンサーにより利用者の入退出を検出して在室状況を把握し、この在室状況に基づいて空気調和装置を制御する技術が開示されている。
【先行技術文献】
【特許文献】
【０００３】
【特許文献１】特開２００５−２１４４９５号公報
【発明の概要】
【発明が解決しようとする課題】
【０００４】
特許文献１に開示されているような空気調和システムにおいては、センサーによる検出結果と空気調和装置の制御とを連動させているので、省エネルギーの観点では有効である一方で、利用者の入退出に連動した単調な制御となる。
【０００５】
そこで、本発明は、かかる点に鑑みてなされたものであり、その目的とするところは、省エネルギー化が図れるとともに、利用者の種々のニーズに対応できる空気調和システムを提供することにある。
【課題を解決するための手段】
【０００６】
本発明の空気調和システムは、室内機（１３）の運転開始および運転停止を制御する制御部（１９）と、前記室内機（１３）が設置された室内の照明（１７）が消灯されたことを示す消灯情報および前記照明（１７）が点灯されたことを示す点灯情報の少なくとも一方を前記制御部（１９）に伝達可能な伝達部（２１）と、前記消灯情報と前記室内機（１３）の運転停止の要否判断とを連動させるか否かの連動設定および前記点灯情報と前記室内機（１３）の運転開始の要否判断とを連動させるか否かの連動設定の少なくとも一方が可能な設定部（２５）と、を備えている。前記制御部（１９）は、前記設定部（２５）において前記消灯情報と前記室内機（１３）の運転停止の要否判断とを連動させるように設定されている場合に、前記消灯情報に基づいて前記室内機（１３）の運転停止の要否を判断し、前記設定部（２５）において前記点灯情報と前記室内機（１３）の運転開始の要否判断とを連動させるように設定されている場合に、前記点灯情報に基づいて前記室内機（１３）の運転開始の要否を判断する。
【０００７】
この構成では、前記消灯情報と室内機（１３）の運転停止の要否判断とを連動させるか否かの連動設定および前記点灯情報と室内機（１３）の運転開始の要否判断とを連動させるか否かの連動設定の少なくとも一方が可能な設定部（２５）を備えている。したがって、制御部（１９）は、設定部（２５）において前記消灯情報と室内機（１３）の運転停止の要否判断とを連動させるように設定されている場合に、前記消灯情報に基づいて室内機（１３）の運転停止の要否を判断する。また、前記設定部（２５）において前記点灯情報と前記室内機（１３）の運転開始の要否判断とを連動させるように設定されている場合に、前記点灯情報に基づいて前記室内機（１３）の運転開始の要否を判断する。
【０００８】
一方で、制御部（１９）は、設定部（２５）において前記消灯情報と前記要否判断とを連動させないように設定されている場合には、室内の照明（１７）が消灯されたか否かにかかわらず室内機（１３）の運転を継続するように制御することができる。また、制御部（１９）は、設定部（２５）において前記点灯情報と前記要否判断とを連動させないように設定されている場合には、室内の照明（１７）が点灯されたか否かにかかわらず室内機（１３）の運転開始の要否判断ができる。
【０００９】
このように本構成では、上記のような利用者の種々のニーズに対応可能であるとともに、上記のように消灯情報と室内機の運転停止とを連動させて省エネルギー化を図ることもできる。
【００１０】
前記伝達部（２１）は前記照明を消灯するスイッチ（２７）と電気的に接続された配線であり、この配線（２１）を通じて前記消灯情報および前記点灯情報の少なくとも一方が前記制御部（１９）に伝達されるのが好ましい。
【００１１】
この構成では、スイッチ（２７）と電気的に接続された配線を通じて消灯情報および前記点灯情報の少なくとも一方が制御部（１９）に伝達されるので、例えば照明（１７）が消灯または点灯されたことを検知するようなセンサーが不要となる。これにより、システムを簡略化してコストダウンを図ることができる。
【００１２】
また、本発明では、前記室内が複数のエリア（５１，５２，５３，５４）に分けられ、各エリアには前記室内機（１３）と前記照明（１７）とがそれぞれ設置されており、前記伝達部（２１）は、各エリアにおける前記照明（１７）の前記消灯情報および前記点灯情報の少なくとも一方を前記制御部（１９）にそれぞれ伝達可能であり、前記制御部（１９）は、各エリアの前記消灯情報に基づいてエリア毎に前記室内機（１３）の運転停止の要否判断および各エリアの前記点灯情報に基づいてエリア毎に前記室内機（１３）の運転開始の要否判断の少なくとも一方を実行するのが好ましい。
【００１３】
この構成では、エリア毎の消灯情報に基づいて室内機（１３）の運転停止の要否判断および運転開始の要否判断の少なくとも一方をエリア毎にできるので、よりきめの細かい制御が可能となり、さらなる省エネルギー化を図ることができる。
【００１４】
前記伝達部（２１）は、各エリアに設置された前記照明（１７）を消灯するためにエリア毎に設けられたスイッチ（２７）と電気的にそれぞれ接続された配線（２１）であり、これらの配線（２１）を通じて各エリアにおける前記照明（１７）の前記消灯情報および前記点灯情報の少なくとも一方が前記制御部（１９）にそれぞれ伝達されるのが好ましい。
【００１５】
この構成では、各スイッチ（２７）と電気的にそれぞれ接続された配線を通じて各エリアの消灯情報および前記点灯情報の少なくとも一方が制御部（１９）にそれぞれ伝達されるので、各エリアの消灯情報および点灯情報と各エリアの室内機（１３）の運転停止の要否判断および運転開始の要否判断とを集中的に管理する集中管理機器のような大がかりな機器が不要となる。これにより、簡易で低コストなシステムを構築することができる。
【００１６】
また、本発明では、前記室内機（１３）の運転開始および運転停止を手動で命令する手動命令部（２９）をさらに備え、前記制御部（１９）は、前記手動命令部（２９）による運転停止命令を、前記消灯情報に基づく前記室内機（１３）の運転停止の要否判断よりも優先するように制御してもよい。
【００１７】
この構成では、前記設定部（２５）において前記消灯情報と前記室内機（１３）の運転停止の要否判断とを連動させるように設定されており、かつ、照明（１７）が点灯している場合、すなわち室内機（１３）の運転を継続する条件下であっても、手動命令部（２９）を通じて室内機（１３）の運転を強制的に停止させることができる。
【００１８】
また、本発明では、前記設定部（２５）は、前記室内の照明（１７）が点灯されていることを示す点灯状態情報と前記室内機（１３）の運転開始の要否判断とを連動させるか否かを設定可能であり、前記制御部（１９）は、前記設定部（２５）において前記点灯状態情報と前記室内機（１３）の運転開始の要否判断とを連動させるように設定されており、前記手動命令部（２９）によりいずれかの前記エリアの室内機（１３）に対して運転開始命令が出され、かつ、このエリアの前記照明（１７）が点灯しているときに前記室内機（１３）の運転を開始するように制御するのが好ましい。
【００１９】
この構成では、前記設定部（２５）において前記点灯状態情報と前記室内機（１３）の運転開始の要否判断とを連動させるように設定されている場合には、前記手動命令部（２９）によりいずれかの前記エリアに対して運転開始命令が出され、かつ、このエリアの前記照明（１７）が点灯している場合に限って室内機（１３）の運転が開始される。このように制御することにより、照明（１７）が点灯されていないエリアの室内機（１３）の運転が開始されるのを防止できる。
【００２０】
この構成が効果的である具体例としては、例えば、利用者が室内機（１３）の運転を開始させようとしているエリアではなく、照明（１７）が消灯されている別エリアの室内機（１３）に対して当該利用者が手動命令部（２９）を通じて誤って運転開始命令を出した場合が挙げられる。このような場合であっても、前記別エリアでは照明（１７）が消灯されているので室内機（１３）の運転は開始されない。これにより、利用者が運転開始命令を出すエリアを上記のように間違えた場合であっても前記別エリアの室内機（１３）の運転が開始されるのを防止できる。
【００２１】
また、本発明では、前記照明（１７）が消灯されていることを示す消灯状態情報をエリア毎に表示可能な表示部（４１）と、前記消灯状態情報を前記表示部（４１）に表示させる表示制御部（１９）と、をさらに備えているのが好ましい。
【００２２】
この構成では、消灯状態情報が表示部（４１）に表示されるので、利用者が手動命令部（２９）を通じて室内機（１３）の運転開始命令を出したときに、この命令が出されたエリアの室内機（１３）の運転が開始されない理由を前記表示部（４１）を通じて利用者に伝えることができる。
【００２３】
この構成が効果的である具体例としては、例えば上記したように、利用者が室内機（１３）の運転を開始させようとしているエリアではなく、照明（１７）が消灯されている別エリアの室内機（１３）に対して当該利用者が手動命令部（２９）を通じて誤って運転開始命令を出した場合が挙げられる。このような場合であっても、表示部（４１）には前記消灯状態情報が表示されるので、前記別エリアの照明（１７）が消灯されていること、すなわち利用者が誤って前記別エリアに運転開始命令を出したことを、利用者に対して伝えることができる。
【００２４】
また、この構成が効果的である別の具体例としては、例えば、室内が多くのエリアに分けられていて、利用者が室内機（１３）の運転を開始させようとしているエリアに隣接する別エリアの照明（１７）が点灯している場合が挙げられる。このような場合には、前記別エリアの周辺も明るくなっているので、室内機（１３）の運転を開始させようとしているエリアの照明（１７）が点灯しているか否か意識しない場合や、当該エリアの照明（１７）が点灯しているか否か一見して明らかでない場合がある。このような場合には、表示部（４１）に消灯状態情報が表示されることにより、室内機（１３）の運転を開始させようとしているエリアの照明（１７）が消灯していることを利用者に対して伝えることができる。
【００２５】
また、本発明では、所定時間を設定可能な時間設定部（２３）をさらに備え、前記制御部（１９）は、前記伝達部（２１）により前記消灯情報が伝達されてから前記所定時間が経過するまで前記室内機（１３）の運転を継続するように制御してもよい。
【００２６】
例えば、利用者が照明（１７）を消灯し室内から退出した後、短時間で室内に戻ってきて室内機（１３）の運転を再び開始するような場合には、照明（１７）を消灯した時点で室内機（１３）の運転を停止するよりも運転を継続しておく方がエネルギーを節約できる場合がある。
【００２７】
したがって、この構成では、設定された所定時間が経過するまでは照明（１７）が消灯されても室内機（１３）の運転が継続されるので、例えば上記のような場合にエネルギーをより効果的に節約することができる。また、照明（１７）の消灯と点灯を短時間のうちに繰り返すような場合にも室内機（１３）の運転を停止させず継続させることができる。
【００２８】
また、本発明では、所定の時間帯を設定可能な時間設定部（２３）をさらに備え、前記制御部（１９）は、予め設定された前記時間帯において、前記伝達部（２１）を通じて伝わる前記消灯情報にかかわらず前記室内機（１３）の運転を継続するように制御してもよい。
【００２９】
例えば、昼時などの休憩時間帯は、１日のうちである決まった時間帯（例えば１２時から１３時まで）であることが多い。このような時間帯では、利用者が照明（１７）を消灯し室内から退出しても、その時間帯を過ぎる前に室内に戻ってきて室内機（１３）の運転を再び開始する可能性が高く、照明（１７）を消灯した時点で室内機（１３）の運転を停止するよりも運転を継続しておく方がエネルギーを節約できる場合がある。
【００３０】
したがって、この構成では、設定された所定の時間帯においては、照明（１７）が消灯されても室内機（１３）の運転が継続されるので、例えば上記のような場合にエネルギーをより効果的に節約することができる。
【発明の効果】
【００３１】
以上説明したように、本発明によれば、省エネルギー化が図れるとともに、利用者の種々の制御のニーズにも対応することができる。
【図面の簡単な説明】
【００３２】
【図１】本発明の一実施形態にかかる空気調和システムを示す構成図である。
【図２】図１の空気調和システムが設置された室内の天井を下から見た状態を示す構成図である。
【図３】図１の空気調和システムにおける室内機の運転開始時の制御例を示すフローチャートである。
【図４】図１の空気調和システムにおける室内機の運転中および運転停止時の制御例を示すフローチャートである。
【発明を実施するための形態】
【００３３】
以下、本発明の実施形態について図面を参照しながら詳細に説明する。
【００３４】
図１に示すように、本実施形態の空気調和システム１１は、室外機１５と、複数の室内機１３（本実施形態では４台の室内機１３）と、各室内機１３の運転開始命令、運転停止命令、各種設定などを利用者が手動で行う手動命令部としてのリモートコントローラ２９（以下、リモコン２９という。）とを含む。
【００３５】
室外機１５は、図略の圧縮機、膨張弁、熱交換器などを含む駆動部３３と、この駆動部３３の動作を制御する室外制御部３１とを備えている。この室外制御部３１は、マイクロコンピュータ、入出力回路などからなる。
【００３６】
室内機１３は、図略の熱交換器、送風機などを含む駆動部４７と、この駆動部４７の動作を制御する室内制御部１９と、リモコン２９との間で通信を行う通信部４５と、時計機能およびタイマ機能を有する計時部４３とを備えている。室内制御部１９は、マイクロコンピュータ、入出力回路などからなる。室内制御部１９は、後述する時間設定、連動設定、点灯状態情報、消灯状態情報などを記憶する図略のメモリー（記憶部）を備えている。
【００３７】
各室内制御部１９と室外制御部３１とは電気的に接続されており、協調して空気調和システムの動作を制御する。リモコン２９は、室内機１３の通信部４５と無線または有線で相互に通信可能な状態とされている。
【００３８】
図２に示すように、室内の天井５５には上記した４つの室内機１３と、複数の照明１７とが設置されている。各室内機１３の周囲には４つの照明１７がそれぞれ配置されている。この空気調和システム１１では、各室内機１３を中心とした４つのエリア５１，５２，５３，５４に室内を分けて個別に制御が行われる。この室内の図略の壁面には各エリア５１，５２，５３，５４の照明を点灯または消灯させるための４つのスイッチ２７が設けられている。また、室内の壁面には各室内機１３用のリモコン２９がそれぞれ取り付けられている。
【００３９】
各スイッチ２７によって対応するエリアの照明１７が点灯または消灯されると、その点灯情報または消灯情報が配線２１を通じてそのエリアの室内制御部１９に伝達される。
【００４０】
各リモコン２９は、そのエリアの照明１７が点灯している状態を示す点灯状態情報および消灯している状態を示す消灯状態情報を表示できる表示部４１を備えている。点灯状態情報および消灯状態情報は室内制御部１９の前記メモリーに記憶されている。室内制御部１９は、これらの点灯状態情報および消灯状態情報を表示部４１に表示させる表示制御部としても機能する。
【００４１】
また、各リモコン２９は、室内機１９の制御パターンを利用者が設定可能な設定部を備えている。この設定部は、後述の制御例で説明するように、計時部４３のタイマ機能または時計機能を利用して室内機１３を停止させず継続運転させる時間（または時間帯）を設定可能な時間設定部２３と、照明１７の動作または状態と室内機１３の運転または停止の判断とを連動させるか否かを設定可能な連動設定部２５とを備えている。
【００４２】
連動設定部２５では、照明１７が点灯されたこと（点灯された動作）を示す点灯情報と室内機１３の運転開始の要否判断とを連動させるか否かを設定することができる。また、照明１７が点灯されていること（点灯されている状態）を示す点灯状態情報と室内機１３の運転開始の要否判断とを連動させるか否かを設定することができる。また、連動設定部２５では、照明１７が消灯されたこと（消灯された動作）を示す消灯情報と室内機１３の運転停止の要否判断とを連動させるか否かを設定することもできる。
【００４３】
次に、本実施形態にかかる空気調和システム１１の制御例について説明する。図３は、空気調和システム１１における室内機１３の運転開始時の制御例を示すフローチャートであり、図４は、空気調和システム１１における室内機１３の運転中および運転停止時の制御例を示すフローチャートである。
【００４４】
まず、図３に示すように、ステップＳ１において、室内制御部１９は、利用者によっていずれかのリモコン２９のボタンが押されてそのリモコン２９に対応するエリア（エリア５１〜５４のいずれか）の室内機１３の運転開始命令が出されたか否かを判断する。室内制御部１９は、いずれかの室内機１３の運転開始命令が出された場合にはステップＳ２に進み、運転開始命令が出されていない場合にはステップＳ５に進む。本制御例では、利用者によってエリア５１の室内機１３に対して運転開始命令が出された場合を例に挙げて以下の説明をする。
【００４５】
ステップＳ２では、室内制御部１９は、照明１７の点灯状態情報と室内機１３の運転開始の要否判断とを連動させるように設定されているか否かを判断する。この連動設定の有無は前記メモリーに記憶されている。室内制御部１９は、この連動設定がされている場合にはステップＳ３に進む。一方、室内制御部１９は、連動設定がされていない場合にはステップＳ７に進み、室内機１３の運転を開始する。
【００４６】
ステップＳ３では、室内制御部１９は、エリア５１の照明１７が点灯しているか否かを判断する。室内制御部１９は、エリア５１の照明１７が消灯している場合にはステップＳ４に進む。一方、室内制御部１９は、エリア５１の照明１７が点灯している場合にはステップＳ７に進み、室内機１３の運転を開始する。
【００４７】
ステップＳ４では、室内制御部１９は、リモコン２９の表示部４１に、エリア５１の照明１７が消灯していることを示す消灯状態情報を表示してステップＳ２に戻る。このとき、表示部４１には例えば「このエリアの照明はＯＦＦです」と表示される。なお、図３には図示していないが、ステップＳ４における表示を見た利用者が連動設定を解除することも一つの選択肢とできるように、その旨を表示部４１に表示してもよい。
【００４８】
一方、上記したようにステップＳ１においてリモコン２９により室内機１３の運転開始命令が出されていない場合に、室内制御部１９は、ステップＳ５においていずれかのエリアの照明１７が点灯されたか否かを判断する。室内制御部１９は、いずれのエリアの照明１７も点灯されていない場合にはステップＳ１に戻り、上記制御を繰り返す。一方、室内制御部１９は、いずれかのエリアの照明１７が点灯されたときにはステップＳ６に進む。
【００４９】
ステップＳ６では、室内制御部１９は、照明１７の点灯情報と室内機１３の運転開始の要否判断とを連動させるように設定されているか否かを判断する。この連動設定の有無は前記メモリーに記憶されている。室内制御部１９は、この連動設定がされている場合にはステップＳ７に進み、室内機１３の運転を開始する。一方、室内制御部１９は、上記連動設定がされていない場合にはステップＳ１に戻って上記制御を繰り返す。
【００５０】
次に、図４に示すように、室内機１３の運転が開始されると、室内制御部１９は、ステップＳ１１において、利用者によってリモコン２９のボタンが押されてエリア５１の室内機１３の運転停止命令が出されたか否かを判断する。室内制御部１９は、運転停止命令が出された場合にはステップＳ１８に進み、室内機１３の運転を停止して図３のステップＳ１に戻る。すなわち、室内制御部１９は、リモコン２９による運転停止命令を、後述するステップＳ１２〜Ｓ１７の運転停止の要否判断よりも優先するように制御する。一方、室内制御部１９は、運転停止命令が出されていない場合にはステップＳ１２に進む。
【００５１】
ステップＳ１２では、室内制御部１９は、エリア５１の照明１７が消灯されたか否かを判断する。室内制御部１９は、エリア５１の照明１７が消灯された場合にはステップＳ１３に進み、消灯されていない場合にはステップＳ１１に戻って上記制御を繰り返す。
【００５２】
ステップＳ１３では、室内制御部１９は、照明１７の消灯情報と室内機１３の運転停止の要否判断とを連動させるように設定されているか否かを判断する。この連動設定の有無は前記メモリーに記憶されている。室内制御部１９は、この連動設定がされている場合にはステップＳ１４に進み、連動設定がされていない場合にはステップＳ１１に戻って上記制御を繰り返す。なお、図３には図示していないが、ステップＳ１１〜Ｓ１３の間またはその他のステップ間において、利用者が上記連動設定を変更する機会が設けられていてもよい。
【００５３】
ステップＳ１４では、室内制御部１９は、タイマをセットするか否かを利用者が選択できる機会を与える。具体的には、室内制御部１９は、例えばタイマをセット可能であることをリモコン２９の表示部４１に表示する。ここで、利用者がリモコン２９の時間設定部２３の図略のボタンを押してタイマをセットすることを選択すると、室内制御部１９は、ステップＳ１５に進む。一方、室内制御部１９は、利用者がタイマをセットしないことを選択すると、ステップＳ１８に進み、室内機１３の運転を停止して図３のステップＳ１に戻る。
【００５４】
ステップＳ１５では、室内制御部１９は、リモコン２９の時間設定部２３の図略のボタン操作で利用者に室内機１３を停止させるまでの猶予時間を設定させるように制御する。利用者による時間設定が完了すると、室内制御部１９は、タイマのカウントをスタートさせてステップＳ１６に進む。
【００５５】
ステップＳ１６では、室内制御部１９は、タイマの設定時間が経過したか否かを判断し、タイマの設定時間が経過した場合にはステップＳ１８に進み、室内機１３の運転を停止して図３のステップＳ１に戻る。一方、室内制御部１９は、タイマの設定時間経過前の場合にはステップＳ１７に進む。
【００５６】
ステップＳ１７では、室内制御部１９は、エリア５１の照明１７が点灯されたか否かを判断し、照明１７が点灯されていない場合にはステップＳ１６に戻り、上記制御を繰り返す。一方、室内制御部１９は、エリア５１の照明１７がタイマ設定時間経過前に点灯された場合には、室内機１３の運転を停止させずにステップＳ１１に戻って上記制御を繰り返す。
【００５７】
以上説明したように、上記実施形態によれば、前記消灯情報と前記室内機１３の運転停止の要否判断とを連動させるか否かの連動設定および前記点灯情報と室内機１３の運転開始の要否判断とを連動させるか否かの連動設定が可能な連動設定部２５を備えている。したがって、制御部１９は、連動設定部２５において前記消灯情報と室内機１３の運転停止の要否判断とを連動させるように設定されている場合に、前記消灯情報に基づいて室内機１３の運転停止の要否を判断する。また、連動設定部２５において前記点灯情報と室内機１３の運転開始の要否判断とを連動させるように設定されている場合に、前記点灯情報に基づいて室内機１３の運転開始の要否を判断する。
【００５８】
一方で、制御部１９は、連動設定部２５において前記消灯情報と前記要否判断とを連動させないように設定されている場合には、照明１７が消灯されたか否かにかかわらず室内機１３の運転を継続するように制御することができる。また、制御部１９は、連動設定部２５において前記点灯情報と前記要否判断とを連動させないように設定されている場合には、室内の照明１７が点灯されたか否かにかかわらず室内機１３の運転開始の要否判断ができる。本構成では、このような利用者の種々のニーズに対応可能であるとともに、上記のように制御を連動させて省エネルギー化を図ることもできる。
【００５９】
また、上記実施形態では、伝達部としての配線２１は照明１７を消灯するスイッチ２７と電気的に接続された配線であり、この配線２１を通じて前記消灯情報および前記点灯情報が室内制御部１９に伝達されるので、例えば照明１７が消灯または点灯されたことを検知するようなセンサーが不要となる。これにより、システムを簡略化してコストダウンを図ることができる。
【００６０】
また、上記実施形態では、室内が複数のエリア５１，５２，５３，５４に分けられ、各エリアには室内機１３と照明１７とがそれぞれ設置されており、配線２１は、各エリアにおける照明１７の前記消灯情報および前記点灯情報を室内制御部１９にそれぞれ伝達可能である。そして、室内制御部１９は、各エリアの前記消灯情報および前記点灯情報に基づいてエリア毎に室内機１３の運転停止および運転開始の要否をそれぞれ判断する。すなわち、エリア毎の消灯情報に基づいて室内機１３の運転停止および運転開始の要否判断をエリア毎にできるので、よりきめの細かい制御が可能となり、さらなる省エネルギー化を図ることができる。
【００６１】
また、上記実施形態では、伝達部２１は、各エリアに設置された照明１７を消灯するためにエリア毎に設けられたスイッチ２７と電気的にそれぞれ接続された配線２１であり、これらの配線２１を通じて各エリアにおける前記照明１７の前記消灯情報および前記点灯情報の少なくとも一方が制御部１９にそれぞれ伝達される。したがって、各エリアの消灯情報および点灯情報と各エリアの室内機１３の運転停止および運転開始の要否判断とを集中的に管理する集中管理機器のような大がかりな機器が不要となる。これにより、簡易で低コストなシステムを構築することができる。
【００６２】
また、上記実施形態では、室内機１３の運転開始および運転停止を手動で命令するリモコン２９をさらに備え、制御部１９は、リモコン２９による運転停止命令を、前記消灯情報に基づく室内機１３の運転停止の要否判断よりも優先するように制御する。したがって、連動設定部２５において前記消灯情報と室内機１３の運転停止の要否判断とを連動させるように設定されており、かつ、照明１７が点灯している場合、すなわち室内機１３の運転を継続する条件下であっても、リモコン２９を通じて室内機１３の運転を強制的に停止させることができる。
【００６３】
また、上記実施形態では、連動設定部２５は、室内の照明１７が点灯されていることを示す点灯状態情報と室内機１３の運転開始の要否判断とを連動させるか否かを設定可能である。そして、室内制御部１９は、連動設定部２５において前記点灯状態情報と室内機１３の運転開始の要否判断とを連動させるように設定されており、リモコン２９によりいずれかのエリアに対して運転開始命令が出され、かつ、このエリアの照明１７が点灯しているときに室内機１３の運転を開始するように制御する。したがって、連動設定部２５において前記点灯状態情報と室内機１３の運転開始の要否判断とを連動させるように設定されている場合には、リモコン２９によりいずれかの前記エリアに対して運転開始命令が出され、かつ、このエリアの照明１７が点灯している場合に限って室内機１３の運転が開始される。このように制御することにより、照明１７が点灯されていないエリアの室内機１３の運転が開始されるのを防止できる。
【００６４】
また、上記実施形態では、照明１７が消灯されていることを示す消灯状態情報をエリア毎に表示可能な表示部４１と、前記消灯状態情報を表示部４１に表示させる表示制御部１９と、をさらに備えている。したがって、利用者がリモコン２９を通じて室内機１３の運転開始命令を出したときに、この命令が出されたエリアの室内機１３の運転が開始されない理由を表示部４１を通じて利用者に伝えることができる。
【００６５】
また、上記実施形態では、所定時間を設定可能な時間設定部２３をさらに備え、室内制御部１９は、配線２１により前記消灯情報が伝達されてから計時部４３により計測される前記所定時間が経過するまで室内機１３の運転を継続するように制御する。したがって、上記実施形態では、設定された所定時間が経過するまでは照明１７が消灯されても室内機１３の運転が継続されるので、例えば利用者が短時間で室内に戻ってくるような場合にエネルギーをより効果的に節約することができる。また、照明１７の消灯と点灯を短時間のうちに繰り返すような場合にも室内機１３の運転を停止させず継続させることができる。
【００６６】
＜他の実施形態＞
なお、本発明は、上記実施形態に限られるものではなく、その趣旨を逸脱しない範囲で種々変更、改良等が可能である。例えば、上記実施形態では、時間設定部２３がリモコン２９に設けられている場合を例に挙げて説明したが、これに限定されない。例えば、時間設定部は、室内の図略の壁面に設けられた照明のスイッチ２７の近傍に設けられていてもよい。この場合、壁面には時間設定部と隣接する位置に、図１の表示部４１のような表示部が設けられているのが好ましい。
【００６７】
このような形態における具体的な制御例を挙げると次のようになる。すなわち、図４のフローチャートのステップＳ１４では、室内制御部１９は、タイマをセット可能であることを壁面の表示部に表示する。ここで、利用者が時間設定部のボタンを押してタイマをセットすることを選択すると、室内制御部１９は、ステップＳ１５に進む。一方、室内制御部１９は、利用者がタイマをセットしないことを選択すると、ステップＳ１８に進み、室内機１３の運転を停止して図３のステップＳ１に戻る。ステップＳ１５では、室内制御部１９は、壁面の時間設定部のボタン操作で利用者に室内機１３を停止させるまでの猶予時間を設定させるように制御する。利用者による時間設定が完了すると、室内制御部１９は、タイマのカウントをスタートさせてステップＳ１６に進む。その他の制御の流れは上記実施形態と同様であるので説明を省略する。
【００６８】
このように壁面に時間設定部が設けられていることにより、利用者が退室するときにスイッチ２７をオフにして照明を消灯するための操作と、時間設定部において時間設定する操作とを同じ場所で連続して行うことができる。これにより、時間設定時の操作性が向上する。
【００６９】
また、上記実施形態では、計時部４３のタイマ機能を利用してタイマをセットし（ステップＳ１４，Ｓ１５）、タイマの設定時間内は室内機１３の運転を継続する（ステップＳ１６，Ｓ１７）場合を例に挙げて説明したが、これに限定されない。例えば、本発明では、上記のようなタイマ機能を利用するのではなく、計時部４３の時計機能（スケジュール機能）を利用して次のように制御してもよい。すなわち、室内制御部１９は、予め設定された時間帯（例えば昼休憩の１２時から１３時まで）において、室内制御部１９に伝わる前記消灯情報にかかわらず室内機１３の運転を継続するように制御してもよい。この場合、室内制御部１９は、前記時間帯内に照明１７が点灯されない場合には室内機１３の運転を停止するように制御する。
【００７０】
このような時間帯では、利用者が照明１７を消灯し室内から退出しても、その時間帯を過ぎる前に室内に戻ってきて室内機１３の運転を再び開始する可能性が高く、照明１７を消灯した時点で室内機１３の運転を停止するよりも運転を継続しておく方がエネルギーを節約できる場合がある。したがって、この形態では、設定された所定の時間帯においては、照明１７が消灯されても室内機１３の運転が継続されるので、エネルギーをより効果的に節約することができる場合がある。
【００７１】
また、上記実施形態では、計時部４３の機能を利用して照明１７が消灯された後も室内機１３の運転を継続させる場合を例に挙げて説明したが、計時部４３の機能を利用しなくてもよい。具体的には、照明１７が消灯され、かつ、連動設定がされている場合には、室内制御部１９はその時点で室内１３の運転を停止してもよい。
【００７２】
また、上記実施形態では、スイッチ２７によって照明１７が点灯または消灯されたときに、その点灯情報または消灯情報が配線２１を通じて室内制御部１９に伝達される場合を例に挙げて説明したが、照明１７の点灯情報または消灯情報を伝達する伝達部としては、上記のような有線通信手段ではなく、無線で情報を伝える無線通信手段を利用することもできる。
【００７３】
また、上記実施形態では、前記消灯情報と室内機１３の運転停止の要否判断および前記点灯情報と室内機１３の運転開始の要否判断を連動させる場合を例に挙げて説明したが、これらの要否判断のいずれか一方のみが設定可能とされている空気調和システムであってもよい。
【符号の説明】
【００７４】
１１  空気調和システム
１３  室内機
１５  室外機
１７  照明
１９  室内制御部
２１  配線
２３  時間設定部
２５  連動設定部
２７  スイッチ
２９  リモートコントローラ
４１  表示部
４３  計時部
５１，５２，５３，５４  エリア
【図１】
2010243112.tif 000003
【図２】
2010243112.tif 000004
【図３】
2010243112.tif 000005
【図４】
2010243112.tif 000006